(57)【要約】【課題】  墓園用地を効率良く使用して貸出単位となる複数の墓を低コストにて構築でき、より利用者にとって利用しやすい安価にて墓を貸し出すことのできる集合墓を提供すること。【解決手段】  集合墓１の内部に、故人の骨壺２を収納するための複数の納骨室３を形成するとともに、それぞれの納骨室３に１対１に対応するように墓碑部５を設け、これらの納骨室３と墓碑部５とで構成される貸出対象となる単位墓部６を、少なくとも２つ有するようにした集合墓１を屋外に構築する。【選択図】  図１
2005320697.tif 000002
【特許請求の範囲】
【請求項１】
故人の骨壺を収納するための納骨室と、該納骨室毎に１対１に対応する墓碑部とから成る貸出対象となる単位墓部を少なくとも２つ有し、屋外に設けられていることを特徴とする集合墓。
【請求項２】
前記納骨室が、横長状の躯体の内部に長手横方向に並列配置され、隣接する納骨室の墓碑部同士が、前記躯体の正面側及び背面側に互い違いに配置されることを特徴とする請求項１に記載の集合墓。
【請求項３】
前記納骨室が地面から所定位置の高さに設けられることを特徴とする請求項１または２に記載の集合墓。
【請求項４】
前記骨壺を水平方向から前記納骨室に出し入れするための開口部が前記躯体に形成されており、前記開口部を塞ぐ着脱可能な蓋体が設けられることを特徴とする請求項３に記載の集合墓。
【請求項５】
前記墓碑部が前記蓋体に設けられることを特徴とする請求項４に記載の集合墓。
【請求項６】
隣接する前記納骨室同士を形成する前記躯体が、横断平面視で略Ｓ字形状をなすことを特徴とする請求項４または５に記載の集合墓。
【請求項７】
前記開口部と前記蓋体との間には、前記納骨室を密閉するためのシール部材が充填されることを特徴とする請求項４〜６のいずれかに記載の集合墓。
【請求項８】
各単位墓部を個々に特定可能な単位墓部識別情報を、前記集合墓における外部から確認できる位置に設けることを特徴とする請求項１〜７のいずれかに記載の集合墓。
【請求項９】
前記躯体の表面に化粧石板が取り付けられることを特徴とする請求項２〜８のいずれかに記載の集合墓。
【請求項１０】
前記躯体はコンクリートで構築されることを特徴とする請求項２〜９のいずれかに記載の集合墓。
【請求項１１】
隣り合う単位墓部同士を区別するための境界部が前記集合墓の表面に設けられることを特徴とする請求項１〜１０のいずれかに記載の集合墓。
【発明の詳細な説明】
【技術分野】
【０００１】
本発明は、屋外に設けられている墓を、不特定多数の利用者に期間を限って貸出すための集合墓に関する。
【背景技術】
【０００２】
近年、人口の増加とともに、墓園用地も少なくなってきているとともに、首都圏等をはじめとする都市近郊の墓所の取得費用が高額となってきている。
【０００３】
そのため、都市近郊の住居とは遠く離れた墓園にお墓を購入する人が多く、この場合には、残された遺族、特には、ご主人を亡くされた老年の婦人等が、これら住居から遠く離れた墓園にお参りすることが大きな負担となることから、自分が生きている内は、住居から近い都市近郊にお墓を借りたいという要望が多くなってきている。
【０００４】
また、近年のように核家族化が進み、昔のように檀家等による菩提寺が不明瞭な都市部にあっては、生前にお墓を用意することなく不慮の事故等により亡くなられた人の場合に、お墓の用地を購入してお墓を建立するまでの間、菩提寺等に故人のお骨を預けることもできないことから、これら故人のお骨を収納する場所に困る状況があり、短期間でもお墓を借りたいという要望が多くなってきている。
【発明の開示】
【発明が解決しようとする課題】
【０００５】
しかしながら、従来から使用されてきたお墓は、通例として、一人の故人を埋葬するためのもので、これらの通常の墓を利用者に貸出したのでは、これら貸出しする各墓が専有する面積が大きく、都市近郊の限られた墓園用地を使用した場合には、土地の使用コストが大きくなってしまうばかりか、これら各墓毎に単独の構造とされているために、１つの貸出単位となる墓の製造コストも大きく、よって、利用者の利用金額が非常に高価なものとなってしまい、利用者が利用し難いものとなってしまうという問題があった。
【０００６】
本発明は、このような問題点に着目してなされたもので、墓園用地を効率良く使用して貸出単位となる複数の墓を低コストにて構築でき、より利用者にとって利用しやすい安価にて墓を貸し出すことのできる集合墓を提供することを目的とする。
【課題を解決するための手段】
【０００７】
上記課題を解決するために、本発明の請求項１に記載の集合墓は、
故人の骨壺を収納するための納骨室と、該納骨室毎に１対１に対応する墓碑部とから成る貸出対象となる単位墓部を少なくとも２つ有し、屋外に設けられていることを特徴としている。
この特徴によれば、単一の構造体となる集合墓内に、１対とされた納骨室と墓碑部とから成る単位墓部を複数有することで、単独構成とされた墓を貸し出す場合に比較して、貸出単位となる単位墓部が専有する面積を低減でき、限られた墓園用地を効率良く使用することができるばかりか、１つの単位墓部の製造コストを大幅に低減することが可能となり、よって、より利用者にとって利用しやすい安価にて、貸出単位となる単位墓部を貸し出すことができる。
【０００８】
本発明の請求項２に記載の集合墓は、請求項１に記載の集合墓であって、
前記納骨室が、横長状の躯体の内部に長手横方向に並列配置され、隣接する納骨室の墓碑部同士が、前記躯体の正面側及び背面側に互い違いに配置されることを特徴としている。
この特徴によれば、横長の躯体を用いて正面側及び背面側に互い違いに墓碑部を設けることで、躯体の一方面において、隣り合う墓碑部同士が適宜に離間するようになるため、これら隣り合う墓碑部同士を離間させるための無駄なスペースを大幅に削減できるようになるため、例えば、同一の大きさの躯体内により多くの単位墓部を形成したり、或いは、１つの単位墓部の横幅を広く形成できる。
【０００９】
本発明の請求項３に記載の集合墓は、請求項１または２に記載の集合墓であって、
前記納骨室が地面から所定位置の高さに設けられることを特徴としている。
この特徴によれば、納骨室が地面より高くすることで、地面に降った雨水等が納骨室に入り込むことを回避できる。
【００１０】
本発明の請求項４に記載の集合墓は、請求項３に記載の集合墓であって、
前記骨壺を水平方向から前記納骨室に出し入れするための開口部が前記躯体に形成されており、前記開口部を塞ぐ着脱可能な蓋体が設けられることを特徴としている。
この特徴によれば、着脱可能な蓋体を開放するだけで、納骨室に骨壷を水平方向に出し入れできるようになるので、骨壷の収納及び取出作業を容易に行うことができる。
【００１１】
本発明の請求項５に記載の集合墓は、請求項４に記載の集合墓であって、
前記墓碑部が前記蓋体に設けられることを特徴としている。
この特徴によれば、一度貸し出された単位墓部の蓋体を、新しい墓碑部が設けられた蓋体と取り換えるだけで、再び単位墓部を貸し出せるようになるので、簡便に単位墓部の再利用が可能となる。
【００１２】
本発明の請求項６に記載の集合墓は、請求項４または５に記載の集合墓であって、
隣接する前記納骨室同士を形成する前記躯体が、横断平面視で略Ｓ字形状をなすことを特徴としている。
この特徴によれば、躯体の前後方向の幅を狭く形成できるので、集合墓の専有面積を削減でき、よって墓園用地を有効に利用できる。
【００１３】
本発明の請求項７に記載の集合墓は、請求項４〜６のいずれかに記載の集合墓であって、
前記開口部と前記蓋体との間には、前記納骨室を密閉するためのシール部材が充填されることを特徴としている。
この特徴によれば、雨水等が納骨室に侵入しないようになるとともに、骨壷や遺骨の盗難等を防止できる。
【００１４】
本発明の請求項８に記載の集合墓は、請求項１〜７のいずれかに記載の集合墓であって、
各単位墓部を個々に特定可能な単位墓部識別情報を、前記集合墓における外部から確認できる位置に設けることを特徴としている。
この特徴によれば、集合墓の管理者が貸し出しの対象となる単位墓部を識別し易くなるので、効率良く集合墓の管理を行うことができる。
【００１５】
本発明の請求項９に記載の集合墓は、請求項２〜８のいずれかに記載の集合墓であって、
前記躯体の表面に化粧石板が取り付けられることを特徴としている。
この特徴によれば、集合墓の美観が向上されるともに、化粧石板のデザインを変えるだけで、様々なデザインの集合墓を構築できるとともに、風雨にさらされても躯体が化粧石板により保護されるので、長年の使用に耐えられるようになる。
【００１６】
本発明の請求項１０に記載の集合墓は、請求項２〜９のいずれかに記載の集合墓であって、
前記躯体はコンクリートで構築されることを特徴としている。
この特徴によれば、躯体にコンクリートを用いることで、低コストで集合墓を構築できる。
【００１７】
本発明の請求項１１に記載の集合墓は、請求項１〜１０のいずれかに記載の集合墓であって、
隣り合う単位墓部同士を区別するための境界部が前記集合墓の表面に設けられることを特徴としている。
この特徴によれば、墓参りをする遺族が目的とする墓と隣の墓を区別できるようになる。
【発明を実施するための最良の形態】
【００１８】
本発明の実施例を以下に説明する。
【実施例】
【００１９】
本発明の実施例を図面に基づいて説明すると、先ず図１は、本発明の実施例における集合墓を示す斜視図であり、図２は、集合墓を示す正面図であり、図３は、集合墓を示す背面図であり、図４は、図１における集合墓を示すIV−IV横断平面図であり、図５は、図１における集合墓を示すＶ−Ｖ縦断側面図であり、図６は、図１における集合墓を示すVI−VI縦断側面図であり、図７は、集合墓が設置された墓園の全体像を示す平面図である。
【００２０】
図１の符号１は、本実施例における集合墓であり、この集合墓１は屋外に設置されており、内部に故人の骨壺２を収納するための複数の納骨室３を有し、各納骨室３には、骨壺２を出し入れするための開口部４が形成され、この開口部４を塞ぐために、本実施例における墓碑部及び蓋体としての墓碑石板５が取り付けられている。
【００２１】
この集合墓１は、遺族等の借主に所定の区画毎にレンタル墓として貸し出されるようになっており、集合墓１の所定区画毎に配置されている納骨室３と墓碑石板５とで本実施例における貸出対象となる単位墓部６が構成されるようになっている。横長の矩形状をなす墓碑石板５には、各々の借主が希望する墓碑銘が刻まれており、一度貸し出された単位墓部６の借主が変わった際には、新しい借主が希望する墓碑銘が刻まれた新規の墓碑石板５と取り換えるだけで、再び単位墓部６を貸し出せるようになるので、簡便に集合墓１の再利用が可能となっている。
【００２２】
図２の正面図に示すように、集合墓１の正面側には、３つの納骨室３に対応して各々の墓碑石板５が取り付けられるとともに、図３の背面図に示すように、集合墓１の背面側には、２つの納骨室３に対応して各々の墓碑石板５が取り付けられており、正面側及び背面側を複数の単位墓部６として使用できるので、墓園用地を有効に利用できるようになっている。
【００２３】
以下、集合墓１の正面側を前方として説明すると、図４に示すように、正面側及び背面側のそれぞれに配置されている納骨室３は、横長状の躯体７の内部に左右長手横方向に並列配置されており、隣接する納骨室３同士の開口部４が、躯体７の正面側及び背面側に互い違いになるように形成され、躯体７の形状が横断平面視で連続するＳ字形状となっている。
【００２４】
躯体７が横断平面視で略Ｓ字形状をなすことで、躯体７の前後方向の幅を狭く形成できるので、集合墓１の専有面積を削減でき、よって墓園用地を効率良く使用して単位墓部６を設置できるとともに、正面側及び背面側のどちらか一方面から集合墓１を見たときに、隣り合う墓碑石板５同士が近接せずに適宜に離間して配置されるようになるため、これら隣り合う墓碑石板５同士を離間させるための無駄なスペースを大幅に削減できるようになっている。また、同一の大きさの躯体７内により多くの単位墓部６を形成できるとともに、１つの区画の単位墓部６の横幅を広く形成できるようになっている。
【００２５】
図５及び図６に示すように、集合墓１は、地中に埋設された基礎部８上に構築されており、軟らかい地盤であっても安定して集合墓１を設置できるようになっており、基礎部８上に配置された芝台９上に躯体７が構築され、芝台９の前後方向の幅は、躯体７の前後方向の幅よりも広くなるように形成されているので、この芝台９の上面が物置台１０となり、遺族が墓参りの際に持参するお供物や花束を供えられるようになっている。また、躯体７は側面視で略台形状をなし、躯体７の正面側及び背面側が傾斜されることで、墓碑石板５の脱落を防止できるとともに、墓碑石板５が見やすいようになっている。
【００２６】
図５及び図６に示すように、納骨室３は地面から所定位置の高さに設けられており、地面に降った雨水等が納骨室３に入り込むことを回避でき、骨壺２や遺骨の腐食を防げるようになっているので、骨壺２を長期間保存できるとともに、開口部４から骨壺２を水平方向に納骨室３に出し入れできるので、骨壺２の収納及び取出作業を容易に行えるようになっている。
【００２７】
また、図６に示すように、納骨室３の開口部４と墓碑石板５との間に、合成樹脂性のシール部材１１を流し込んで納骨室３を密閉できるようになっており、このようにすれば、雨水等が納骨室３に侵入しなくなるとともに、容易に墓碑石板５を取り外すことができなくなるので、骨壺２や遺骨の盗難やいたずら等を防止できるようになっている。尚、納骨室３を開放するときには、シール部材１１をカッター等を用いて切断すれば、墓碑石板５を取り外せるようになっている。
【００２８】
更に、躯体７はコンクリート等の材質を用いて構築されており、容易に集合墓１を構築できるとともに、低コストで同じ形状の集合墓１の大量構築が可能となっている。また、図１に示すように、各々の墓碑石板５同士の間には、縦長の矩形状をなす複数の化粧石板１２が取り付けられており、化粧石板１２のデザインを変えるだけで、様々なデザインの集合墓１を構築でき、集合墓１の美観が向上されるようになっている。更に、躯体７の上端には、上石板１３が取り付けられるとともに、集合墓１が風雨にさらされた場合でも躯体７が化粧石板１２と上石板１３とにより保護されるので、躯体７が長年の使用に耐えられるようになっている。
【００２９】
図１に示すように、化粧石板１２同士の間には、本実施例における境界部としての境界線１４が形成されるようになっており、隣り合う単位墓部６同士を区別できるようになっている。そのため墓参りをする遺族が目的とする単位墓部６と、隣り合う単位墓部６を区別できるようになっている。また、隣り合う単位墓部６同士を区別できるように、単位墓部６の間に仕切板等を設けて境界部としてもよい。
【００３０】
図１に示すように、集合墓１の側面には、管理者が集合墓１を効率よく管理するための集合墓ID（本実施例ではＡ）が刻まれているとともに、各々の墓碑石板５の下方には、本実施例における単位墓部識別情報としての単位墓部ID（本実施例では１〜５）が刻まれている。図２及び図３に示すように、単位墓部IDは正面側は奇数番号、背面側は偶数番号となっており、集合墓１における外部から確認できる位置に表示され、集合墓１の管理者が各々の単位墓部６同士を容易に区別できるようになっている。
【００３１】
集合墓ID及び単位墓部IDが表示されることによって、集合墓１の管理者が貸し出しの対象となる各々の単位墓部６を識別し易くなり、効率良く集合墓１の管理を行うことができるようになっている。また、管理事務所等に設けられている集合墓管理装置（図示略）を用いて、集合墓ID及び単位墓部IDを管理することもできるようになっており、集合墓管理装置（図示略）によって集合墓ID及び単位墓部IDを管理することで、集合墓１内の各単位墓部６の貸出状況、すなわち貸出期限や、借主や、故人に関する情報や、保証金等から成る情報を効率的に管理することができるようになっている。
【００３２】
図７に示すように、植木１５で囲まれた墓園１６内には、複数の集合墓１が設置されており、様々な長さの集合墓１が構築されるとともに、互いの集合墓１同士の間には、複数の通り道１７が形成され、墓参りの遺族が集合墓１の正面側及び背面側から目的とする単位墓部６に辿り着けるようになっている。集合墓１の長手横方向の長さを長くするほど、１つの集合墓１の内部に設けられている納骨室３の数を増やすことができるようになっており、そのため多数の納骨室３を単一の集合墓１に設けることができるので、密集して墓を構築できるようになっている。
【００３３】
本実施例における集合墓１は、従来のような単独構成とされた墓を貸し出す場合と比較して、貸出単位となる単位墓部６が専有する面積を低減できるようになっており、限られた墓園用地を効率良く使用することができるので、都市近郊の取得費用が高額な墓園用地であっても低コストで多数の墓を設置できるようになっている。また、１つの単位墓部６の製造コストを大幅に低減することが可能となり、より利用者にとって利用しやすい安価にて、貸出単位となる単位墓部６を貸し出すことができるようになっている。
【００３４】
以上、本発明の実施例を図面により説明してきたが、具体的な構成はこれら実施例に限られるものではなく、本発明の要旨を逸脱しない範囲における変更や追加があっても本発明に含まれる。
【００３５】
例えば、上記実施例では、横長状の躯体に、納骨室が左右長手横方向に並列配置されていたが、本発明はこれに限定されるものではなく、横長状の躯体内の上下方向に納骨室を多段配置してもよいし、これら多段式の複数の納骨室を１つの単位墓部として貸し出すようにしてもよい。
【００３６】
また、上記実施例では、墓碑部及び蓋体としての墓碑石板が横長の矩形状をなすように形成されていたが、本発明はこれに限定されるものではなく、墓碑石板の形状を円形状やその他の形状にしてもよいし、借主の希望に合わせた形状の墓碑石板を作成し、それぞれの単位墓部に用いられる墓碑石板が、各々違った形状をしていてもよい。
【００３７】
更に、上記実施例では、平らな地面の上に集合墓が設置されていたが、本発明はこれに限定されるものではなく、傾斜された地面の上に集合墓を設置してもよいし、階段状の地面の上に複数の集合墓を多段に設置するようにしてもよい。
【００３８】
尚、上記実施例では、横長状の躯体が用いられて集合墓が構築されていたが、本発明はこれに限定されるものではなく、平面視で円形状をなすように躯体を構築してもよく、このような円形状の躯体で構築される複数の集合墓を同心円状に配置してレンタル墓園としてもよい。
【図面の簡単な説明】
【００３９】
【図１】本発明の実施例における集合墓を示す斜視図である。
【図２】集合墓を示す正面図である。
【図３】集合墓を示す背面図である。
【図４】図１における集合墓を示すIV−IV横断平面図である。
【図５】図１における集合墓を示すＶ−Ｖ縦断側面図である。
【図６】図１における集合墓を示すVI−VI縦断側面図である。
【図７】集合墓が設置された墓園の全体像を示す平面図である。
【符号の説明】
【００４０】
１                集合墓
２                骨壺
３                納骨室
４                開口部
５                墓碑石板
６                単位墓部
７                躯体
８                基礎部
９                芝台
１０              物置台
１１              シール部材
１２              化粧石板
１３              上石板
１４              境界線
１５              植木
１６              墓園
１７              通り道
【図１】
2005320697.tif 000003
【図２】
2005320697.tif 000004
【図３】
2005320697.tif 000005
【図４】
2005320697.tif 000006
【図５】
2005320697.tif 000007
【図６】
2005320697.tif 000008
【図７】
2005320697.tif 000009